(57)【要約】【課題】  特に、再生参照光の光強度が波長によって異なるとき、記録されるホログラムの体積を、前記再生参照光の光強度の大きさに基づいて変えることで、ホログラムを従来に比べて適切に再生することが可能な記録装置、記録媒体、記録媒体の製造方法、及び再生装置を提供することを目的としている。【解決手段】  再生参照光の光強度が強くなる波長λ３で記録するときは、ホログラムの体積をＶ２に小さくし、前記波長λ３のときより再生参照光の光強度が弱くなる波長λ６で記録するときは、ホログラムの体積をＶ２よりも大きいＶ１で形成する。このように、再生参照光の光強度の大きさの違いに基づいて、ホログラムの体積を適正化することで、各ホログラムで回折されて発せられた回折光強度Ｉｎのばらつきを小さくでき、従来に比べて適切にホログラムを再生できる。【選択図】図６
2006350080.tif 000002
【特許請求の範囲】
【請求項１】
光強度に波長依存性を有する再生参照光を用いてホログラムが再生される記録媒体に対して記録を行う記録装置であって、
前記再生参照光の光強度の波長依存性に基づく再生データ光量の変動を抑制するように、記録の際に前記ホログラムの記録体積に波長依存性を付与する記録体積変動手段を有することを特徴とする記録装置。
【請求項２】
前記記録体積変動手段は、記録参照光用光源と前記記録媒体との間に配置された絞り部であり、
前記絞り部の開口を調整することで前記ホログラムの記録体積を変動させる請求項１記載の記録装置。
【請求項３】
波長多重記録によるホログラムが格納された記録媒体であって、
前記ホログラムを再生する再生参照光の光強度の波長依存性に基づく再生データ光量の変動を抑制するように、前記ホログラムの記録体積は波長依存性を有することを特徴とする記録媒体。
【請求項４】
光強度に波長依存性を有する再生参照光を用いてホログラムが再生される記録媒体の製造方法であって、
前記再生参照光の光強度の波長依存性に基づく再生データ光量の変動を抑制するように、記録の際に前記ホログラムの記録体積に波長依存性を付与してデータ記録を行うことを特徴とする記録媒体の製造方法。
【請求項５】
光強度に波長依存性を有する再生参照光と、
前記再生参照光が記録媒体に照射されて発生するホログラムを再生データとして取得する撮像部とを有し、
請求項３に記載された記録媒体から、前記再生データが取得されることを特徴とする再生装置。
【発明の詳細な説明】
【技術分野】
【０００１】
本発明は、例えば参照光とデータ光とを干渉させて記録媒体にホログラムを記録する記録装置、記録媒体、記録媒体の製造方法、及び再生装置に関する。
【背景技術】
【０００２】
ホログラムの記録は、記録参照光と、二次元のデジタルデータを含むデータ光とを記録媒体に干渉させることで行なわれる。ホログラムによる記録では、同一記録エリア内に多重記録が可能であり、しかも高速レートで記録・再生を行なうことが出来るといった利点がある。多重記録には、様々な手法があるが、よく知られている手法に角度多重と波長多重がある。このうち波長多重では、記録波長を変動させながら記録を行なうもので角度多重のように機械的動作が不要といった利点がある。
【０００３】
一方、ホログラムの再生では、再生参照光を、前記記録媒体に入射させると、ブラッグ条件式により、前記再生参照光が記録媒体に記録されたホログラムで回折され、再生光（回折光）が発せられる。そして、前記再生光に含まれるホログラムの内容が、ＣＣＤやＣＭＯＳなどからなる撮像素子により読み出される。
ホログラムを用いた先行技術としては、例えば以下の特許文献１〜３などが存在する。
【特許文献１】特開２００２−３２００１号公報
【特許文献２】特開２００１−９３１５７号公報
【特許文献３】特開２０００−１２３１３３号公報
【発明の開示】
【発明が解決しようとする課題】
【０００４】
ところで前記再生参照光として面発光レーザ（ＶＣＳＥＬ）を用いた場合、前記面発光レーザは波長によって光強度が異なる。図５は、前記面発光レーザの波長と光強度との関係を示すグラフである。
【０００５】
図５に示すように、波長がλ１からλ３にまで大きくなると、光強度は徐々に大きくなっていき、前記波長がλ３からλ５にまで大きくなると、前記光強度は徐々に小さくなっていくことがわかる。
【０００６】
ところで、波長多重により記録媒体にホログラムを記録するとき、例えば記録参照光の波長が、図５に示すλ３及びλ６であったとする。なお、前記波長λ３及びλ６で記録されたホログラムの体積はともに同じである。このとき再生参照光の入射角度を、前記記録参照光の入射角度と同じにするとともに、再生参照光の波長をλ６にすれば、波長λ６で記録されたホログラムを読み出すことができ、再生参照光の波長をλ３にすれば、波長λ３で記録されたホログラムを読み出すことができる。
【０００７】
しかし、図５に示すように、再生参照光の波長がλ６のとき、光強度Ｗ１が小さくなるため、読み出されたホログラムの回折光強度は小さくなってしまい、前記回折光強度が小さくなるほど、例えばノイズの影響が強くなる等して適切に前記ホログラムを再生できなかった。また、図５に示すように、再生参照光の波長がλ３のとき、光強度Ｗ２が大きくなるため、読み出されたホログラム（上記のように、前記ホログラムの体積は、前記波長λ６のときに読み出されるホログラムの体積と同じである）の回折光強度は大きくなる。このとき前記回折光強度が大きくなるほど、例えばホワイトアウト現象等により適切にホログラムを再生できなかった。
【０００８】
このように、従来では、再生参照光として面発光レーザを用いたとき、波長の違いによる回折光強度のばらつきが大きくなり、適切に前記ホログラムを再生することができなかった。
【０００９】
そこで本発明は上記従来の課題を解決するためのものであり、特に、再生参照光の光強度の波長依存性に基づく再生データ光量の変動を抑制するようにホログラムの記録を行うことが可能な記録装置、再生参照光の光強度の波長依存性に基づく再生データ光量の変動を抑制できるようにホログラムが記録された記録媒体及びその製造方法、さらには、再生参照光の光強度の波長依存性に基づく再生データ光量の変動を抑制できる再生装置を提供することを目的としている。
【課題を解決するための手段】
【００１０】
本発明は、
光強度に波長依存性を有する再生参照光を用いてホログラムが再生される記録媒体に対して記録を行う記録装置であって、
前記再生参照光の光強度の波長依存性に基づく再生データ光量の変動を抑制するように、記録の際に前記ホログラムの記録体積に波長依存性を付与する記録体積変動手段を有することを特徴とするものである。
【００１１】
これにより本発明では、従来に比べて、前記再生参照光の光強度の波長依存性に基づく再生データ光量の変動を抑制することができ、したがって、面発光レーザ（ＶＣＳＥＬ）のように、光強度が波長によって異なる再生参照光を用いても、従来に比べてノイズやホワイトアウト現象等の発生を抑制でき、安定して再生データの読み取りを行うことが可能になる。
【００１２】
前記記録体積変動手段は、記録参照光用光源と前記記録媒体との間に配置された絞り部であり、前記絞り部の開口を調整することで前記ホログラムの記録体積を変動させることが好ましい。
【００１３】
前記ホログラムの記録体積に波長依存性を付与するには、前記再生参照光の光強度が大きくなる波長のときほど、前記ホログラムの体積を小さく形成する。これにより、光強度が強いときは体積の小さいホログラムで回折し、光強度が弱いときは体積の大きいホログラムで回折することになる。ここでホログラムの体積と回折光強度（再生データ光量）との関係について説明する。図６は、ホログラムの体積Ｖと回折光強度Ｉｎとの関係を示すグラフである。グラフ上の線Ａは、記録参照光を例えば、図５に示す波長λ６としてホログラムを記録媒体に記録し、そのホログラムを、図５に示す特性（波長によって光強度が異なる特性）を有する波長λ６の再生参照光にて再生したときの、ホログラムの体積Ｖと回折光強度（再生データ光量）Ｉｎとの関係である。またグラフ上の線Ｂは、記録参照光を例えば、図５に示す波長λ３としてホログラムを記録媒体に記録し、そのホログラムを、図５に示す前記特性を有する波長λ３の再生参照光にて再生したときの、ホログラムの体積Ｖと回折光強度Ｉｎとの関係である。
【００１４】
線Ａ，Ｂともにホログラムの体積Ｖが大きくなるほど、回折光強度Ｉｎが大きくなることがわかる。また、再生参照光の光強度が大きいほど（すなわち線Ａに比べて線Ｂの）回折光強度Ｉｎが大きいことがわかる。
【００１５】
従来では、再生参照光の光強度にかかわらず、ホログラムの体積を同じ大きさで形成していた。例えばホログラムを記録する際の波長がλ３及びλ６と異なっていても、前記ホログラムを図６に示す体積Ｖ３で形成していた。しかし、このとき再生参照光の波長をλ６としたときの回折光強度は、Ｉｎ１であり、一方、再生参照光の波長をλ３としたときの回折光強度は、Ｉｎ２であり、図６に示すように、ホログラムの体積を同じ体積Ｖ３で形成すると、再生参照光の波長が異なり光強度が異なることで、回折光強度のばらつきが大きくなることがわかった。
【００１６】
このため本発明では、前記再生参照光の光強度の波長依存性に基づく再生データ光量の変動を抑制するように、記録体積変動手段により、記録の際に前記ホログラムの記録体積に波長依存性を付与している。上記したように、前記再生参照光の光強度が大きくなる波長のときほど、前記ホログラムの体積を小さく形成している。図６を用いて説明すると、
再生参照光の光強度が小さくなる例えば波長λ６で記録されるとき、ホログラムを大きい体積Ｖ１で形成し、再生参照光の光強度が大きくなる例えば波長λ３で記録されるとき、ホログラムを小さい体積Ｖ２で形成することで、波長が異なっても、ほぼ同じ回折光強度Ｉｎ３を得ることができる。すなわち、従来に比べて、再生データ光量の変動を抑制することができ、したがって面発光レーザ（ＶＣＳＥＬ）のように、光強度が波長によって異なる再生参照光を用いても、従来に比べてノイズやホワイトアウト現象等の発生を抑制でき、安定して再生データの読み取りを行うことが可能になる。
【００１７】
そして上記した記録体積変動手段を有する記録装置によれば、再生参照光の光強度に基づき、ホログラムの体積を適切且つ容易に変えながら記録することができる。
【００１８】
また本発明は、
波長多重記録によるホログラムが格納された記録媒体であって、
前記ホログラムを再生する再生参照光の光強度の波長依存性に基づく再生データ光量の変動を抑制するように、前記ホログラムの記録体積は波長依存性を有することを特徴とするものである。
【００１９】
これにより、従来に比べて、再生データ光量の変動を抑制できる記録媒体を提供でき、したがって、例えば面発光レーザ（ＶＣＳＥＬ）のように、光強度が波長によって異なる再生参照光を用いても、従来に比べてノイズやホワイトアウト現象等の発生を抑制でき、安定して再生データの読み取りを行うことが可能になる。
【００２０】
また本発明は、
光強度に波長依存性を有する再生参照光を用いてホログラムが再生される記録媒体の製造方法であって、
前記再生参照光の光強度の波長依存性に基づく再生データ光量の変動を抑制するように、記録の際に前記ホログラムの記録体積に波長依存性を付与してデータ記録を行うことを特徴とするものである。
【００２１】
これにより、光強度が波長によって異なる再生参照光を用いても、従来に比べて、再生データ光量の変動を抑制でき、したがって、例えば面発光レーザ（ＶＣＳＥＬ）のように、光強度が波長によって異なる再生参照光を用いても、従来に比べてノイズやホワイトアウト現象等の発生を抑制でき、安定して再生データの読み取りを行うことが可能な記録媒体を適切且つ簡単に製造することができる。
【００２２】
また本発明における再生装置は、
光強度に波長依存性を有する再生参照光と、
前記再生参照光が記録媒体に照射されて発生するホログラムを再生データとして取得する撮像部とを有し、
上記に記載された記録媒体から、前記再生データが取得されることを特徴とするものである。
【００２３】
これにより、光強度が波長によって異なる再生参照光を用いても、従来に比べて、再生データ光量の変動を抑制でき、例えば面発光レーザ（ＶＣＳＥＬ）のように、光強度が波長によって異なる再生参照光を用いても、従来に比べてノイズやホワイトアウト現象等の発生を抑制でき、安定して再生データの読み取りを行うことが可能になる。そして、前記再生装置に、面発光レーザ（ＶＣＳＥＬ）を使用できるため、安価であって、しかも再生特性に優れた再生装置を提供することが可能になる。
【発明の効果】
【００２４】
本発明によれば、面発光レーザ（ＶＣＳＥＬ）のように、光強度が波長によって異なる再生参照光を用いても、従来に比べて、前記再生参照光の光強度の波長依存性に基づく再生データ光量の変動を抑制でき、従来に比べてノイズやホワイトアウト現象等の発生を抑制でき、安定して再生データの読み取りを行うことが可能になる。
【発明を実施するための最良の形態】
【００２５】
図１，図２は、本実施形態として、ホログラム記録装置によって記録媒体にホログラムを記録する概念図、図３，図４は、図１及び図２で記録された前記ホログラムを、ホログラム再生装置によって記録媒体から再生する概念図、である。
【００２６】
なお図１ないし図４における全ての光を平行光で示しているが、説明の便宜上、そのように示しただけであり、前記平行光に限定されるということではない。
【００２７】
図１に示すホログラム記録装置では、光源２０から発せられた光（コヒーレント光）は、図示しないビームスプリッタによって２方向に分割される。前記光源２０は、固定レーザやガスレーザ等、特に限定されない。分割された光のうち、一方は第１の記録参照光２８として、他方はデータ光２１として、それぞれ記録媒体２７上の一定の地点に入射される。図１に示すように前記データ光２１は、空間光変調器２３に入射される。前記空間光変調器２３には、例えば物体等の画像データが２値（０，１）のデジタル信号（記録信号）として入力される。前記空間光変調器２３では、前記デジタル信号を「明，暗」の二次元のデジタル映像データに変換する。例えば″０″信号を、「明」のデジタル映像データに変換し、″１″信号を、「暗」のデジタル映像データに変換する。前記「明」のデジタル映像データは、光を透過するが、「暗」のデジタル映像データは光を遮断する。前記空間光変調器２３は例えば液晶素子である。
【００２８】
データ光２１の光強度は、前記空調光変調器２３を透過することで空間変調されて前記記録媒体２７上の一定の地点に入射される。
【００２９】
図１に示すように、前記第１の記録参照光２８とデータ光２１が記録媒体２７に照射されると、前記第１の記録参照光２８とデータ光２１とが重なる領域に、第１のホログラム３０が記録される。記録された前記第１のホログラム３０は記録媒体２７内に干渉縞として現われる。
【００３０】
ホログラム記録装置では、記録媒体２７の同一領域に多数の前記ホログラムを記録できる。いわゆる多重記録が可能であり、本実施の形態では、入射角度θ１を一定にし記録波長を変化させて記録する波長多重によって前記ホログラムを記録している。
【００３１】
図１では、前記第１の記録参照光２８の波長を例えば、図５に示す波長λ６としている。
【００３２】
図１に示すように、前記光源２０と記録媒体２７の間には、開口４０ａを有する絞り部（記録体積変動手段）４０が設けられている。前記開口４０ａの平面形状は例えば円形で、前記開口４０ａの直径は図示しない制御部からの指令で変えられるようになっており、図１の実施形態では前記直径はＴ１に調整されている。第１の記録参照光２８は、前記開口４０ａを通って前記記録媒体２７に照射されるから、前記第１の記録参照光２８の照射方向に対して直交する方向の断面は、前記開口４０ａと同じ円形となり、また前記絞り部４０より記録媒体２７側の前記第１の記録参照光２８の直径はＴ１になる。
【００３３】
次に、図２では、光源２０から第２の記録参照光５０が前記記録媒体２７に照射されている。波長多重であるため、前記第２の記録参照光５０の記録媒体２７の表面２７ａに対する入射角度θ１は、図１に示す第１の記録参照光２８の記録媒体２７の表面２７ａに対する入射角度θ１と同じである。
【００３４】
一方、前記第２の記録参照光５０の波長は、図１における前記第１の記録参照光の波長λ６とは異なっている。図２に示す第２の記録参照光５０の波長は、例えば図５に示す波長λ３である。
【００３５】
図２に示すように、前記第２の記録参照光５０とデータ光２１が記録媒体２７に照射されると、前記第２の記録参照光５０とデータ光２１とが重なる領域に、第２のホログラム３１が記録される。記録された前記第２のホログラム３１は記録媒体２７内に干渉縞として現われる。
【００３６】
図２では、前記絞り部４０の開口４０ａの直径はＴ２であり、前記直径Ｔ２は図１に示す直径Ｔ１よりも小さい。したがって、前記記録媒体２７に照射される前記第２の記録参照光５０の直径はＴ２になり、前記直径Ｔ２は図１に示す第１の記録参照光２８の直径Ｔ１よりも小さい。よって、図２の前記第２の記録参照光５０とデータ光２１とが重なる領域は、図１の前記第１の記録参照光２８とデータ光２１とが重なる領域より小さくなり、図２の前記第２のホログラム３１の体積は、図１の第１のホログラム３０の体積に比べて小さくなる。
【００３７】
次に図３では、図５に示す波長と光強度との関係を持つ面発光レーザを用いて、図１で記録された第１のホログラム３０を記録媒体２７から再生する。
【００３８】
図３に示すように、光源４１から第１の再生参照光４２を前記記録媒体２７に照射する。図３に示す光源４１は、例えば、VCSEL（面発光レーザ）アレイであり、前記光源４１からは第１の再生参照光４２として、図５の特性を有する面発光レーザが照射される。
【００３９】
前記第１の再生参照光４２の照射方向に対し直交する方向から切断した光の断面形状は例えば円形であり、前記第１の再生参照光４２の直径Ｔ３は、図１に示す記録参照光２８の直径Ｔ１よりも十分に大きくされている。
【００４０】
前記第１の再生参照光４２を、前記記録媒体２７の表面２７ａに対し入射角度θ２で前記記録媒体２７内に入射する。このときの入射角度θ２を、図１の記録時の第１の記録参照光２８の入射角度θ１と同じ値にする。しかも前記第１の再生参照光４２の波長を、第１の記録参照光２８の波長λ６と同じに設定する。これにより、再生時、第１の再生参照光４２が前記記録媒体２７に記録されたホログラム３０で回折する。そして、第１の再生光（回折光）４３をＣＣＤやＣＭＯＳなどからなる撮像素子４４で受光することで、前記撮像素子４４にてホログラム３０の内容を読み出すことができる。
【００４１】
次に図４では、図２で記録された第２のホログラム３１を記録媒体２７から再生する。
図４に示すように、光源４１は図３と同じVCSEL（面発光レーザ）アレイであり、前記光源４１からは第２の再生参照光６０として、図５の特性を有する面発光レーザが照射される。
【００４２】
前記第２の再生参照光６０の照射方向に対し直交する方向から切断した光の断面形状は例えば円形であり、前記第２の再生参照光６０の直径Ｔ３は、図３の第１の第１の再生参照光４２の前記直径Ｔ３と同じであり、図２に示す第２の記録参照光５０の直径Ｔ２よりも十分に大きくされている。
【００４３】
前記第２の再生参照光６０を、前記記録媒体２７の表面２７ａに対し入射角度θ２で前記記録媒体２７内に入射する。このときの入射角度θ２を、図２の記録時の第２の記録参照光５０の入射角度θ１と同じ値にする。しかも前記第２の第２の再生参照光６０の波長を、第２の記録参照光５０の波長λ３と同じに設定する。これにより、再生時、第２の第２の再生参照光６０が前記記録媒体２７に記録された第２のホログラム３１で回折する。そして、第２の再生光（第２の回折光）７０をＣＣＤやＣＭＯＳなどからなる撮像素子４４で受光することで、前記撮像素子４４にて第２のホログラム３１の内容を読み出すことができる。
【００４４】
本実施の形態の特徴的な部分は、ホログラム記録装置に絞り部（記録体積変動手段）４０を有し、これにより、再生参照光４２、６０の光強度の波長依存性に基づく再生データ光量の変動を抑制するように、ホログラムの記録時に、前記ホログラム３０，３１の記録体積に波長依存性を付与する点にある。すなわち、本実施の形態では、前記ホログラムの体積を従来のように一律でなく、面発光レーザの光強度に基づいて変えている。
【００４５】
前記面発光レーザは、波長によって光強度が異なる（図５を参照）。また、再生参照光の波長を一定にして（光強度を一定にして）、ホログラムの体積を大きくすると、回折光強度（再生データ光量）が大きくなる（図６を参照）。これらの特性を考慮して、再生参照光の波長に対する回折光強度のばらつきを小さくする（変動を抑制する）には、再生参照光の光強度が高くなる波長のときは、ホログラムを記録するときに、ホログラムの体積が小さくなるように調整し、再生参照光の光強度が低くなる波長のときは、ホログラムを記録するときに、ホログラムの体積が大きくなるように調整すればよい。
【００４６】
図１では、第１の記録参照光２８の波長をλ６にし、図２では、第２の記録参照光５０の波長をλ３に設定している。図５に示すグラフを参照すると、波長λ３のときの面発光レーザの光強度はＷ２であり、波長λ６のときの面発光レーザの光強度Ｗ１に比べてかなり大きくなっている。このため、第１の記録参照光２８の波長をλ６として記録媒体２７に第１のホログラム３０を記録するとき、第２の記録参照光５０の波長をλ３として記録媒体２７に第２のホログラム３１を記録する場合に比べて、前記第１のホログラム３０の体積が、前記第２のホログラム３１に比べて大きく形成されるように、前記絞り部４０の開口４０ａの幅寸法を適切に調整して、前記第１の記録参照光２８の照射方向と直交する方向の断面の面積を、第２の記録参照光５０の前記面積より大きくする。
【００４７】
図１及び図２に示すように、波長λ６で記録された第１のホログラム３０の体積Ｖ１は、波長λ３で記録された第２のホログラム３１の体積Ｖ２よりも大きい。図６に示すように、従来のように、第１のホログラム３０と第２のホログラム３１をともに同じ体積Ｖ３で形成すると、前記第２のホログラムの回折光強度Ｉｎ２のほうが、第１のホログラムの回折光強度Ｉｎ１より大きい状態になるが、本実施の形態では、第１のホログラム３０の体積を、Ｖ３からＶ１に大きくすることで、第１のホログラム３０の回折光強度をＩｎ１からＩｎ３に大きくでき、しかも、第２のホログラム３１の体積を、Ｖ３からＶ２に小さくすることで、第２のホログラム３０の回折光強度をＩｎ２からＩｎ３に小さくでき、これにより、第１のホログラム３０の回折光強度と、第２のホログラム３１の回折光光強度のばらつきを小さくできる。
【００４８】
したがって、例えば回折光強度が小さすぎて、ノイズの影響が強くなり適切にホログラムを再生できなかったり、あるいは回折光強度が大きすぎて、ホワイトアウト現象等によってホログラムを適切に再生できないといった不具合を回避でき、本実施形態によれば、波長多重で記録されたホログラムを、再生参照光として面発光レーザを用いて再生する場合でも、適切に前記ホログラムを再生することができる。
【００４９】
図１及び図２に示すホログラム記録装置では、光源２０と記録媒体２７との間に絞り部４０が設けられており、前記絞り部４０の開口４０ａの幅寸法を適切に調整することで、記録参照光２８，５０の照射方向と直交する方向の断面の面積を変え、これによって適切且つ容易に前記ホログラムを異なる体積で形成できる。
【００５０】
図１及び図２に示すホログラム記録装置により、ホログラムが記録された記録媒体２７を、基となる（マスターとなる）記録媒体とし（これをマスター記録媒体２７と呼ぶ）、前記マスター記録媒体２７に、ホログラムが全く記録されていない記録媒体（これをブランク記録媒体と呼ぶ）を重ね、前記マスター記録媒体２７に参照光を照射する。このときの参照光の波長は、前記マスター記録媒体に波長多重で記録されたホログラムを再生できる波長の全範囲を含んでいる。また前記マスター記録媒体２７の表面全体に、前記参照光が照射されるようにする。これにより、前記マスター記録媒体２７に記録されている全てのホログラムが回折光として、前記ブランク記録媒体に照射され、前記ホログラムが前記ブランク記録媒体に記録される。このようにマスター記録媒体を一つ製造すれば、前記マスター記録媒体からホログラムをブランク記録媒体に複写することで、同じホログラムが記録された記録媒体を多数、短時間で製造することができる。
【００５１】
また前記ホログラム記録装置には、図５に示す面発光レーザの特性から、記録参照光の波長ごとに形成されるべき前記ホログラムの体積を解析し、解析結果から、前記開口４０ａの幅寸法を算出する制御部が設けられている。
【００５２】
また本実施形態では、図３及び図４に示す再生装置の再生参照光として面発光レーザを用いることができる。面発光レーザは安価であるため、再生装置全体の価格を低くでき、このように安い再生装置でも本実施形態によれば、記録媒体２７に記録されたホログラムを適切に再生することができる。
【図面の簡単な説明】
【００５３】
【図１】ホログラム記録装置により記録媒体にホログラムを記録する概念図（部分断面図）、
【図２】ホログラム記録装置により記録媒体に、図１とは異なる波長でホログラムを記録する概念図（部分断面図）、
【図３】ホログラム再生装置により図１に示す記録媒体からホログラムを再生する概念図（部分断面図）、
【図４】ホログラム再生装置により図２に示す記録媒体からホログラムを再生する概念図（部分断面図）、
【図５】面発光レーザ（ＶＣＳＥＬ）の波長と光強度との関係を示すグラフ、
【図６】例えば、図５に示す波長λ３及び波長λ６にてホログラムを記録し、各ホログラムを、波長λ３及び波長λ６にて再生したときの回折光強度を前記ホログラムの体積との関係から示すグラフ、
【符号の説明】
【００５４】
２０、４１  光源
２１  データ光
２７  記録媒体
２８  第１の記録参照光
３０  第１のホログラム
３１  第２のホログラム
４２  第１の再生参照光
４３  第１の再生光（回折光）
４４  撮像素子
６０  第２の再生参照光
７０  第２の再生光（回折光）
【図１】
2006350080.tif 000003
【図２】
2006350080.tif 000004
【図３】
2006350080.tif 000005
【図４】
2006350080.tif 000006
【図５】
2006350080.tif 000007
【図６】
2006350080.tif 000008